(57)【要約】【課題】放送形式を跨いでチャンネルを選局する場合にチャンネルの選局を早くしてユーザに与えるストレスを軽減することができる放送受信装置を提供する。【解決手段】操作部６０を操作して、ユーザによりチャンネルが選択されると、制御部４０は、操作部６０からユーザが選択したチャンネルの情報を取得して、このチャンネルを選局し、復調し、デコードするように第１放送波受信部１０および第２放送波受信部２０を制御する。その後、所定時間以内に、操作部６０を操作して、ユーザにより放送形式が選択されると、制御部４０は、ユーザが選択した放送形式に対応するデコードデータのみを映像音声処理部８０へ出力するように放送切替部３０を制御する。所定時間以内に放送形式が選択されない場合は、チャンネルが選択される前に視聴されていた放送形式のデコードデータのみを映像音声処理部８０へ出力するように放送切替部３０を制御する。【選択図】図１
2010258751.tif 000002
【特許請求の範囲】
【請求項１】
複数の放送形式の放送波のそれぞれに対応して、放送波を受信し、デコードする複数の放送受信部と、
前記放送波のチャンネルと放送形式を選択するための操作部と、
前記操作部によりチャンネルが選択されると、前記複数の放送受信部のそれぞれが、選択されたチャンネルの放送波を受信し、デコードするように制御する制御部と、
を備える放送受信装置。
【請求項２】
前記制御部は、前記チャンネルが選択された後、前記操作部により前記放送形式が選択された場合は、選択された放送形式の放送波に対応した前記放送受信部のデコードデータを再生するように制御することを特徴とする請求項１に記載の放送受信装置。
【請求項３】
前記制御部は、前記操作部により選択されない放送形式の放送波に対応した前記放送受信部の受信およびデコードを停止するように制御することを特徴とする請求項２に記載の放送受信装置。
【請求項４】
前記制御部は、前記チャンネルが選択された後、所定時間内に前記操作部により前記放送形式が選択されない場合は、視聴されていない放送形式の放送波に対応した前記放送受信部の受信およびデコードを停止するように制御することを特徴とする請求項１ないし３のいずれか１項に記載の放送受信装置。
【発明の詳細な説明】
【技術分野】
【０００１】
本発明は、複数の放送形式の放送波を受信できる放送受信装置に関する。
【背景技術】
【０００２】
近年のテレビ放送は、ＢＳデジタル放送、ＣＳデジタル放送、地上デジタル放送と放送形式も多様化してきており、各放送形式におけるチャンネル数も多い。
このような複数の放送形式の放送波を受信できる受信装置において、ユーザがあるチャンネルを選局する場合、まず、ユーザは、放送形式（ＢＳデジタル放送、ＣＳデジタル放送、地上デジタル放送）を選択するボタンの中から、そのチャンネルを放送する放送形式のボタンを押す。次に、ユーザは、ダイレクト選局ボタンやアップダウン選局ボタンを用いて放送形式内の目的とするチャンネルを選局する。
【０００３】
図４は、地上波デジタルチューナー１０４と、ＢＳデジタルチューナー１０５と、ＣＳデジタルチューナー１０６を備える従来の固定テレビ受信装置１０２の概略構成を示す図である（特許文献１参照）。
図４に示す固定テレビ受信装置１０２において、例えば、ユーザがＢＳデジタル放送のＣｈ１（チャンネル１）を視聴中に、ＣＳデジタル放送のＣｈ３（チャンネル３）を視聴したいと思った場合、ユーザは、リモコン１０３においてＣＳデジタル放送を選択するためのＣＳボタンを押して、その後、Ｃｈ３の選局ボタンを押す。
リモコン１０３のＣＳボタンが押されたことで、リモコン受光部１１１を介してマイコン１１２にＣＳデジタル放送を選択する信号が出力され、マイコン１１２の制御により切替ＳＷ（スイッチ）部１０７がＣＳデジタルチューナー１０６からの出力信号を通すように切り替えられるとともに、ＣＳデジタルチューナー１０６はチューニングを開始する。このとき、ＣＳデジタルチューナー１０６は、ラストチャンネルであるＣｈ１を受信するように動作する。その後、リモコン１０３においてＣｈ３の選局ボタンが押されることで、マイコン１１２にＣｈ３を選局する信号が出力され、マイコン１１２の制御によりＣＳデジタルチューナー１０６は、Ｃｈ３の受信するように動作する。そして、デコーダー部１０８にてデジタル放送をデコードし、映像音声処理部１０９にてデコードデータに映像や音声に関する処理を加えて、映像音声出力部１１０に映像信号、音声信号を出力する。
【０００４】
なお、ＢＳデジタル放送、ＣＳデジタル放送、地上デジタル放送は、主に固定テレビ受信装置向けのテレビ放送であるが、携帯電話端末向けのテレビ放送としても、ワンセグ（携帯電話・移動体端末向けの１セグメント部分受信サービス）、ＭｅｄｉａＦＬＯ（登録商標）、ＩＳＤＢ−Ｔｍｍ（Integrated Services Digital Broadcasting-Terrestrial for mobile multimedia）など複数の放送形式が存在し、これら複数の放送形式の受信を１つの携帯電話端末で対応可能とする構成が考えられる。
【先行技術文献】
【特許文献】
【０００５】
【特許文献１】特開２００６−２４６３７１号公報
【発明の概要】
【発明が解決しようとする課題】
【０００６】
ところで、一般に、デジタル放送を受信するためには、放送形式や受信チャンネルの切り替え時間、受信したトランスポートストリームを処理する時間、ＭＰＥＧ信号を復号（デコード）する時間などが必要になる。このため、デジタル放送を受信する装置では、視聴する放送形式やチャンネルの切り替えを行い、安定した受信画像が表示されるまでには時間を要するので、放送形式やチャンネルを切り替える際に快適な操作感が損なわれ、ユーザがストレスを感じるという問題がある。
【０００７】
さらに、放送形式を跨いでチャンネルを選局（選択）する場合、同一の放送形式内でチャンネルを選局する場合に比べて、目的のチャンネルが視聴可能になるまでには多くの時間を要してしまうという問題がある。それは、背景技術でも説明したように、放送形式を跨いでチャンネルを選局する場合、目的の放送形式を選択して、目的の放送形式に切り替わらなければ、その放送形式内のチャンネルの選局が行えないことに起因する。
同一の放送形式内のチャンネルを選局する場合、目的のチャンネルを選局（選択）後、すぐに、その目的のチャンネルのデコードが行われる。一方、放送形式を跨いでチャンネルを選局する場合、放送形式の選択を行い、その放送形式に切り替わった後に、目的のチャンネルを選局することにより、ようやく目的のチャンネルのデコードが行われる。
このように、放送形式を跨いでチャンネルを選局する場合、同一の放送形式内でチャンネルを選局する場合に比べて、目的の放送形式に切り替わるまで、その放送形式内のチャンネルの選局を受け付けないので、目的のチャンネルに切り替えるまで多くの時間が必要となり、ユーザにストレスを与えることになっていた。
【０００８】
本発明は、このような問題点に鑑みてなされたものであり、本発明の目的は、放送形式を跨いでチャンネルを選局する場合に目的のチャンネルが視聴可能になるまでにかかる時間を短くしてユーザに与えるストレスを軽減することができる放送受信装置を提供することにある。
【課題を解決するための手段】
【０００９】
上記目的を達成するため、本発明の放送受信装置は、複数の放送形式の放送波のそれぞれに対応して、放送波を受信し、デコードする複数の放送受信部と、前記放送波のチャンネルと放送形式を選択するための操作部と、前記操作部によりチャンネルが選択されると、前記複数の放送受信部のそれぞれが、選択されたチャンネルの放送波を受信し、デコードするように制御する制御部とを備えることを特徴とする。
【００１０】
前記制御部は、前記チャンネルが選択された後、前記操作部により前記放送形式が選択された場合は、選択された放送形式の放送波に対応した前記放送受信部のデコードデータを再生するように制御することが好ましく、また、前記制御部は、前記操作部により選択されない放送形式の放送波に対応した前記放送受信部の受信およびデコードを停止するように制御することが好ましく、さらに、前記制御部は、前記チャンネルが選択された後、所定時間内に前記操作部により前記放送形式が選択されない場合は、視聴されていない放送形式の放送波に対応した前記放送受信部の受信およびデコードを停止するように制御することが好ましい。
【発明の効果】
【００１１】
本発明では、放送形式を跨いでチャンネルを選局する場合、目的の放送形式内のチャンネルを最初に選局した後、目的の放送形式を選択する順番で操作することができる。これにより、目的の放送形式を選択してから、その放送形式内のチャンネルを選局する順番で操作する場合に比べて、チャンネルの選局が早くなるので、ユーザに与えるストレスを軽減することができる。
【図面の簡単な説明】
【００１２】
【図１】本発明の放送受信装置の概略構成を示す図である。
【図２】チャンネル切り替え時の放送受信装置の動作フローを示す図である。
【図３】従来方法と本発明の切り替え動作を説明する図である。
【図４】従来の固定テレビ受信装置の概略構成を示す図である。
【発明を実施するための形態】
【００１３】
本発明の実施の形態について図面を参照して説明する。本発明の放送受信装置は、例えば、複数の放送形式の放送波を受信できる固定テレビ受信装置、携帯電話端末である。図１に、本発明の放送受信装置の概略構成を示す。図１に示す放送受信装置は、第１の放送形式の放送波（第１放送波）を受信処理する第１放送波受信部１０と、第２の放送形式の放送波（第２放送波）を受信処理する第２放送波受信部２０と、放送切替部３０と、制御部４０と、メモリ５０と、操作部６０と、タイマー部７０と、映像音声処理部８０と、映像音声出力部９０を備える。
【００１４】
第１放送波受信部１０は、第１放送波アンテナ１１と、第１放送波チューナー１２と、第１放送波復調部１３と、第１放送波デコード部１４からなる。第１放送波チューナー１２は、第１放送波アンテナ１１で受信した第１放送波を選局し、選局した第１放送波を第１放送波復調部１３に出力する。第１放送波チューナー１２の起動指令や所望の放送局を選局するための選局情報は制御部４０から与えられる。第１放送波復調部１３は、第１放送波チューナー１２から受け取った放送波を復調し、ビットストリームを取り出して第１放送波デコード部１４に出力する。第１放送波デコード部１４は、第１放送波復調部１３から与えられたビットストリームをデコードして放送切替部１９へ出力する。
【００１５】
第２放送波受信部２０も第１放送波受信部１０と同様の構成であり、第２放送波アンテナ２１、第２放送波チューナー２２、第２放送波復調部２３、第２放送波デコード部２４の各構成部からなる。各構成部の動作も第１放送波受信部１０と同様である。
なお、第１放送波と第２放送波は互いに異なる放送形式の放送波であり、例えば、放送受信装置が固定テレビ受信装置であれば地上デジタル放送とＢＳデジタル放送、地上デジタル放送とＣＳデジタル放送などであり、放送受信装置が携帯電話端末であればワンセグとＭｅｄｉａＦＬＯ、ワンセグとＩＳＤＢ−Ｔｍｍなどの放送波である。
【００１６】
放送切替部３０は、第１放送波受信部１０および第２放送波受信部２０から出力された第１放送波および第２放送波のデコードデータのうち、ユーザーが操作部６０を介して選択した放送形式のデータのみを映像音声処理部８０に出力するスイッチ機能を有する。
【００１７】
メモリ５０は、チャンネルおよび／または放送形式を切り替える前に視聴していた放送形式、およびチャンネル選択後の所定時間を記憶しておく記憶領域を有する。なお、図１では、放送受信装置内の記憶装置全体を、単一のメモリ５０として示している。すなわち、視聴時のビデオメモリやバッファメモリ、制御部４０の作業用メモリ等をメモリ５０として代表して示している。
【００１８】
操作部６０は、チャンネルおよび放送形式を選択するための手段を少なくとも有し、視聴するチャンネルや放送形式の選択に利用される。ユーザーが選択したチャンネルと放送形式の情報は、制御部４０へ出力される。チャンネルや放送形式の選択は、操作部６０に設けられた選択ボタンで行ってもよいし、リモコン等の外部機器を操作して行ってもよい。
【００１９】
タイマー部７０は、チャンネルおよび／または放送形式の切り替え時に、チャンネルを選択後、所定時間内に放送形式が選択されたか否かを判断するため、チャンネル選択後から所定時間をカウントする。所定時間とは、例えば、チャンネルが選択されてから何らかの映像または音声が映像音声出力部９０から出力（再生）されるまでのデータについて第１放送波デコード部１４および第２放送波デコード部２４にて最初にデコードが完了するまでの時間、またはチャンネルが選択されてから第１放送波チューナー部１２および第２放送波チューナー部２２にて選局が完了するまでの時間などである。所定時間は、０．５〜２秒が好ましく、また、ユーザによって任意に設定可能にしてもよい。なお、チャンネル選択後の所定時間をタイマー部７０に記憶しておいてもよい。
【００２０】
映像音声処理部８０は、放送切替部３０から出力された第１放送波または第２放送波のデコードデータに映像や音声に関する処理を加え、映像音声出力部９０に出力する。映像や音声に関する処理とは、例えば、画質の調整、音量の調整などである。これらの調整は、自動的に、またはユーザーが操作部６０を操作して指示することで行う。映像音声出力部９０は、選択された放送波の映像および／または音声を出力する。
【００２１】
制御部４０は、ユーザーが操作部６０を操作して選択したチャンネルや放送形式の情報を基に、第１放送波受信部１０、第２放送波受信部２０、放送切替部３０、映像音声処理部８０を制御して、選択されたチャンネルや放送形式の映像および／または音声が映像音声出力部９０に出力されるようにする。また、チャンネルおよび／または放送形式の切り替え時に、チャンネルを選択後、所定時間内に放送形式が選択されたか否かを、タイマー部７０のカウント情報を基に判断し、その結果を基に放送切替部３０を制御して、出力する放送形式を決定する。
【００２２】
なお、図１に示す放送受信装置は、異なる放送形式の放送波を受信できる２つの放送波受信部を備えているが、放送波受信部を２つ以上備えて２つ以上の放送形式に対応する構成でもよい。
また、図１に示す放送受信装置は、映像音声処理部８０、映像音声出力部９０を備えて、受信した映像および／または音声を出力する機能を有しているが、映像音声処理部８０および／または映像音声出力部９０を外部接続機器に備えて、放送波の受信とデコードのみ、または放送波の受信、デコードと映像および／または音声の調整のみを行うようにしてもよい。
また、図１に示す放送受信装置では、映像音声処理部８０の出力先は、映像音声出力部９０であり、映像音声出力部９０は、映像および／または音声を出力する画面やスピーカーであるが、映像音声処理部８０の出力先は、録画のための内蔵または着脱可能な記憶装置であってもよい。
【００２３】
図２は、チャンネル切り替え時の放送受信装置の動作フローを示す図である。なお、図２のフローの開始時点では、既に放送波を受信し出力するアプリケーションが起動しており、あるチャンネルを視聴中であるものとする。
【００２４】
操作部６０を操作して、ユーザにより次に視聴したいチャンネルが選択されると（ステップＳ０１）、制御部４０は、操作部６０からユーザが選択したチャンネルの情報を取得して、このチャンネルの放送波を選局して受信し、復調し、デコードするように第１放送波受信部１０および第２放送波受信部２０を制御する（ステップＳ０２）。第１放送波受信部１０および第２放送波受信部２０にてデコードされたデータは放送切替部３０に出力される。
【００２５】
また、制御部４０は、操作部６０からユーザが選択したチャンネルの情報を取得すると、予めメモリ５０に記憶されている所定時間をカウントするように、タイマー部７０に所定時間をセットするとともに、タイマー部７０から時間カウント情報を取得して、放送形式の選択が、ステップＳ０１でチャンネルが選択されてから所定時間以内に行われたか否かを判断する（ステップＳ０３）。
【００２６】
操作部６０を操作して、ユーザにより視聴したいチャンネルの放送形式が所定時間以内に選択された場合（ＹＥＳの場合）は、制御部４０は、操作部６０からユーザが選択した放送形式の情報を取得するとともに、選択された放送形式をメモリ５０に記憶させる（ステップＳ０４）。すでに放送形式が記憶されていた場合は、その放送形式に上書きする。
制御部４０は、第１放送波受信部１０および第２放送波受信部２０から出力されたデコードデータの内、ステップＳ０３でユーザが選択した放送形式に対応するデコードデータのみを映像音声処理部８０へ出力するように放送切替部３０を制御する（ステップＳ０５）。同時に、ステップＳ０３で選択されなかった放送形式に対応する放送波受信部を制御して、選局（選択されたチャンネルの受信）、復調、デコードを停止させる。なお、映像音声処理部８０へ出力されるデコードデータは、映像音声出力部９０で出力（再生）される。
【００２７】
ステップＳ０３において、所定時間以内に放送形式が選択されなかった場合（ＮＯの場合）は、制御部４０は、ステップＳ０１でチャンネルが選択される前に視聴されていた放送形式の情報をメモリ５０から読み出す（ステップＳ０６）。
制御部４０は、ステップＳ０６でメモリ５０から読み出された情報に対応する放送形式のデコードデータのみを映像音声処理部８０へ出力するように放送切替部３０を制御する（ステップＳ０７）。同時に、映像音声処理部８０へ出力しない放送形式（視聴されていない放送形式）に対応する放送波受信部を制御して、選局、復調、デコードを停止させる。
【００２８】
映像音声処理部８０は、放送切替部３０から出力されたデコードデータに対して映像および／または音声に関連する処理を行い、映像音声出力部９０に与えて映像および／または音声を出力する（ステップＳ０８）。
【００２９】
なお、ステップＳ０２において、各放送形式にわたってユーザが選択したチャンネルを受信中である旨を示す画像、音声、映像を映像音声出力部９０に出力するようにしてもよい。
また、ステップＳ０５およびステップＳ０７において、映像音声処理部８０へ出力されない放送形式の放送波の選局、復調、デコードを停止させるとともに、この放送方式に対応する放送波チューナー、放送波復調部、放送波デコード部の電源をオフにしてもよい。電源をオフにした場合には、ステップＳ０２においてユーザにより選択されたチャンネルを選局、復調、デコードする際、制御部４０は、電源をオフしていた放送形式に対応する放送波チューナー、放送波復調部、放送波デコード部の電源をオンにする制御を行う。
【００３０】
図３は、ワンセグとＭｅｄｉａＦＬＯを受信できる携帯電話端末において、ＭｅｄｉａＦＬＯのＣｈ５（チャンネル５）からワンセグのＣｈ１（チャンネル１）へ切り替えた時の、従来方法（放送形式を選択してからチャンネルを選局する方法）と本発明の切り替え動作を説明する図である。
【００３１】
従来方法では、ＭｅｄｉａＦＬＯのＣｈ５を視聴しているときに、時刻ｔ０において、ワンセグの放送形式を選択して切り替えを開始すると、ワンセグの受信部を起動して、ワンセグにおいて最後に視聴していたチャンネル（ラストチャンネル）がＣｈ５であれば、最後に視聴していたワンセグのＣｈ５の受信を開始する。時刻ｔ１において、Ｃｈ１が選択されると、ワンセグのＣｈ１の受信を開始し、時刻ｔ４において、ワンセグのＣｈ１の映像音声を出力する。
【００３２】
これに対し、本発明では、ＭｅｄｉａＦＬＯのＣｈ５を視聴しているときに、時刻ｔ０において、Ｃｈ１が選択されると、ワンセグおよびＭｅｄｉａＦＬＯの受信部を起動して、ワンセグのＣｈ１およびＭｅｄｉａＦＬＯのＣｈ１の受信を開始する。時刻ｔ０から時刻ｔ２までの所定時間内の時刻ｔ１において、ワンセグが選択されると、時刻ｔ３において、ワンセグのＣｈ１の映像音声を出力する。ＭｅｄｉａＦＬＯのＣｈ１の受信は、ワンセグが選択された時刻ｔ１の時点で停止される。
【００３３】
この図から明らかなように、従来方法では、時刻ｔ４からワンセグのＣｈ１の映像音声を出力するのに対して、本発明では、時刻ｔ４より前の時刻ｔ３からワンセグのＣｈ１の映像音声を出力する。したがって、本発明では、従来方法よりも、チャンネルの切り替え操作後から視聴可能になるまでの時間を短縮することができる。
【００３４】
上述したように、本発明では、ユーザが放送形式を跨いでチャンネルを切り替える場合、最初にチャンネルを選択すると各放送形式のチャンネルを同時受信および同時デコードする。これにより、チャンネルを選択した時点から目的のチャンネルのデコードが行われることになり、目的のチャンネルのデコード開始タイミングを早くすることができる。同時受信および同時デコードの開始後、放送形式が選択されると、選択された放送形式の受信およびデコードを継続し、デコードデータが再生される。これにより、チャンネルの切り替え操作後から視聴可能になるまでの時間が短縮され、ユーザに与えるストレスを軽減することができる。
【００３５】
なお、上述した実施の形態では、本発明を、複数の放送形式のデジタル放送波を受信できる放送受信装置に適用した場合について説明したが、本発明は、これに限られるものではなく、アナログ放送とデジタル放送の双方の放送波を受信できる放送受信装置についても適用できるものである。
【符号の説明】
【００３６】
１０  第１放送波受信部
１１  第１放送波アンテナ
１２  第１放送波チューナー
１３  第１放送波復調部
１４  第１放送波デコード部
２０  第２放送波受信部
２１  第２放送波アンテナ
２２  第２放送波チューナー
２３  第２放送波復調部
２４  第３放送波デコード部
３０  放送切替部
４０  制御部
５０  メモリ
６０  操作部
７０  タイマー部
８０，１０９  映像音声処理部
９０，１１０  映像音声出力部
１０２  固定テレビ受信装置
１０３  リモコン
１０４  地上波デジタルチューナー
１０５  ＢＳデジタルチューナー
１０６  ＣＳデジタルチューナー
１０７  切替ＳＷ（スイッチ）部
１０８  デコード部
【図１】
2010258751.tif 000003
【図２】
2010258751.tif 000004
【図３】
2010258751.tif 000005
【図４】
2010258751.tif 000006